(57)【要約】【課題】簡単な操作で画像データを再生させて、容易かつ迅速に記録された撮影画像などの内容を確認することが可能なカメラ付き運転監視装置を提供する。【解決手段】装置本体２に設けられた操作部６の入力によりビデオ出力部５から画像データを再生したビデオ信号を出力させて、モニタＭに少なくとも記録された撮影画像を表示させるので、別途パーソナルコンピュータを用いることなく、簡単な操作で画像データが再生されて、容易かつ迅速に記録された撮影画像などの内容を確認することができる。【選択図】図２
2008293083.tif 000002
【特許請求の範囲】
【請求項１】
車両に搭載されて、車両の運転状況を撮影し撮影画像を得るカメラ、車両の少なくとも加速度を検知するセンサ、および制御部を有する装置本体を備え、記録された各データに基づき運転を監視するカメラ付き運転監視装置であって、
前記装置本体は、記録された画像データを再生してビデオ信号を出力するビデオ出力部と、所定入力の操作を行う操作部とを備え、
前記制御部は、前記操作部の入力により前記ビデオ出力部からビデオ信号を出力させて、モニタに少なくとも記録された撮影画像を表示させる、カメラ付き運転監視装置。
【請求項２】
請求項１において、
前記制御部は、画像データをメモリに記録する録画モードと、メモリに記録された画像データを再生する再生モードとを設定するモード設定部を備え、前記操作部の入力により再生モードに切り換えられたときに、前記ビデオ出力部からビデオ信号を出力させて、前記モニタに少なくとも記録された撮影画像を表示させる、カメラ付き運転監視装置。
【請求項３】
請求項１において、
前記画像データは、前記撮影画像のデータおよび前記センサからのセンサデータを含み、前記制御部が、前記操作部の入力により前記モニタに記録された撮影画像およびセンサデータを表示させる、カメラ付き運転監視装置。
【請求項４】
請求項２において、
前記記録された撮影画像は複数の動画シーンであり、
前記制御部が、前記操作部の入力により再生モードに切り換えられたときに前記モニタに各動画シーンのうちの静止画をそれぞれ表示させ、前記操作部の入力により各静止画から任意の静止画を選択させて、前記モニタに当該動画シーンを表示させる、カメラ付き運転監視装置。
【請求項５】
請求項１において、
さらに、前記装置本体を車両に着脱自在に保持する保持部を有し、この保持部に、車両から該装置本体が取り外されたときに該装置本体の記録動作を停止させるように作動するタンパスイッチが設けられている、カメラ付き運転監視装置。
【請求項６】
請求項１において、
前記モニタがビデオ入力部を有する汎用の外部モニタである、カメラ付き運転監視装置。
【発明の詳細な説明】
【技術分野】
【０００１】
本発明は、車両に搭載されて、運転を監視するカメラ付き運転監視装置に関する。
【背景技術】
【０００２】
従来から、車両に搭載されて、車両の運転状況を撮影し撮影画像を得るカメラおよび車両の加速度や速度などを検知するセンサを有し、記録された各データにより運転を監視するカメラ付き運転監視装置が知られている（例えば、特許文献１）。
【０００３】
従来の装置では、得られた撮影画像のデータやセンサデータは、例えば装置に出し入れ可能なメモリーカードに記録されることによって、または通信接続等の手段によって、運転管理センターなどの別の場所に設置されたパーソナルコンピュータ（ＰＣ）に取り込まれ、記録された撮影画像やセンサデータがＰＣのモニタに表示されてその内容が確認されていた。
【特許文献１】特許第３０４４０２５号公報
【発明の開示】
【発明が解決しようとする課題】
【０００４】
しかし、従来の装置では、撮影画像のデータやセンサデータは別置きのＰＣで再生されてモニタに表示されるので、特に撮影画像の内容を現場で迅速に確認することができなかった。
【０００５】
また、使用するＰＣに、予め得られた各データを読み込み、モニタに表示させる専用のソフトウエアをインストールしておく必要があり、このＰＣ操作も面倒であった。
【０００６】
本発明は、前記の問題点を解決して、簡単な操作で画像データを再生させて、容易かつ迅速に記録された撮影画像などの内容を確認することが可能なカメラ付き運転監視装置を提供することを目的とする。
【課題を解決するための手段】
【０００７】
前記目的を達成するために、本発明にかかるカメラ付き運転監視装置は、車両に搭載されて、車両の運転状況を撮影し撮影画像を得るカメラ、車両の少なくとも加速度を検知するセンサ、および制御部を有する装置本体を備え、記録された各データに基づき運転を監視するカメラ付き運転監視装置であって、前記装置本体は、記録された画像データを再生してビデオ信号を出力するビデオ出力部と、所定入力の操作を行う操作部とを備え、前記制御部は、前記操作部の入力により前記ビデオ出力部からビデオ信号を出力させて、モニタに少なくとも記録された撮影画像を表示させる。
【０００８】
この構成によれば、装置本体に設けられた操作部の入力によりビデオ出力部から画像データを再生したビデオ信号を出力させて、モニタに少なくとも記録された撮影画像を表示させるので、別途パーソナルコンピュータを用いることなく、簡単な操作で画像データが再生されて、容易かつ迅速に記録された撮影画像などの内容を確認することができる。
【０００９】
好ましくは、前記制御部は、画像データをメモリに記録する録画モードと、メモリに記録された画像データを再生する再生モードとを設定するモード設定部を備え、前記操作部の入力により再生モードに切り換えられたときに、前記ビデオ出力部からビデオ信号を出力させて、前記モニタに少なくとも記録された撮影画像を表示させる。したがって、録画モードから再生モードに簡単に切り換えられて、容易かつ迅速に記録された撮影画像などの内容を確認することができる。
【００１０】
好ましくは、前記画像データは、前記撮影画像のデータおよび前記センサからのセンサデータを含み、前記制御部が、前記操作部の入力により前記モニタに記録された撮影画像およびセンサデータを表示させる。したがって、容易かつ迅速に記録された撮影画像およびセンサデータの内容を確認することができる。
【００１１】
好ましくは、前記記録された撮影画像は複数の動画シーンであり、前記制御部が、前記操作部の入力により再生モードに切り換えられたときに前記モニタに各動画シーンのうちの静止画をそれぞれ表示させ、前記操作部の入力により各静止画から任意の静止画を選択させて、前記モニタに当該動画シーンを表示させる。したがって、容易かつ迅速に記録された各動画シーンの内容を確認することができる。
【００１２】
好ましくは、前記装置本体を車両に着脱自在に保持する保持部を有し、この保持部に、車両から該装置本体が取り外されたときに該装置本体の記録動作を停止させるように作動するタンパスイッチが設けられている。したがって、装置本体を車両から取り外したときの操作が簡単になる。
【００１３】
好ましくは、前記モニタがビデオ入力部を有する汎用の外部モニタである。したがって、装置の低コスト化を図れる。
【発明を実施するための最良の形態】
【００１４】
以下、本発明の実施形態を図面にしたがって説明する。図１は、本発明の一実施形態に係るカメラ付き運転監視装置を示す概略構成図である。図１（Ａ）のように、本装置１は、例えば車両Ａのフロントガラスの内側のような前面部に固定具Ｆを用いて車両Ａに搭載されて、車両Ａの運転状況を撮影し撮影画像を得るＣＣＤカメラのようなカメラ３および車両Ａの少なくとも加速度を検知するセンサ部４（図２）を有する装置本体２を備え、記録された各データにより運転を監視するものである。
【００１５】
図２に示すように、装置本体２は、前記カメラ３およびセンサ部４のほかに、ビデオ出力部５、操作部６、各データを記録する内部のメモリ７、状態表示部８、本装置１に電源を供給する電源部９、および全体を制御する制御部（ＣＰＵ）１０を備えている。なお、内部のメモリ７のほかに各データを記録する、装置本体２に出し入れ可能に設けられたメモリーカードを別途有してもよい。
【００１６】
センサ部４は、加速度、ＧＰＳ、速度などの各種センサ情報を検出して、車両Ａの運転状況に関するセンサデータを得る。状態表示部８は、電源部９の電源オン・オフやメモリ７のメモリ動作状態などについてＬＥＤ等で表示したり、音声等で表示する。
【００１７】
ビデオ出力部５は、記録された画像データを再生してビデオ信号を出力する。操作部６は、後述する再生モードの切り換えなどの所定入力の操作を行う。また、装置本体２と、記録された撮影画像などを表示するモニタＭとは、モニタＭへの電源供給用およびビデオ出力用の接続コードＣ（図１（Ｂ））を介して接続される。ビデオ出力用コードにはビデオ出力端子が設けられており、モニタＭのビデオ入力部Ｍａに接続される。
【００１８】
この例では、モニタＭは、装置本体２とは別に設けられたビデオ入力部Ｍａ付きの汎用のテレビモニタであるが、ビデオ入力部付きのナビゲーションシステムのモニタＭを兼用させるようにしてもよいし、装置本体２に内蔵させるようにしてもよい。
【００１９】
図２の制御部１０は信号処理部１１およびモード設定部１２を備えている。信号処理部１１はカメラ３からの映像信号やセンサ部５からの検知信号を処理して、撮影画像のデータやセンサデータを得る。モード設定部１２は、画像データをメモリ７に記録する録画モードと、メモリ７に記録された画像データを再生する再生モードとを設定する。このモード切換は操作部６の入力により行われる。
【００２０】
制御部１０は、操作部６の入力により再生モードに切り換えられたときに、前記ビデオ出力部５からビデオ信号を出力させて、モニタＭに記録された撮影画像およびセンサデータを表示させる制御を行う。また、制御部１０は、ビデオ出力部５とモニタＭを接続コードＣで接続したときに、モニタＭの初期画面に画像データを再生するための操作部６の操作内容を表示させる。この操作内容にしたがってその後の操作が行われる。
【００２１】
図１（Ｂ）に示すように、本装置１は、装置本体２を車両Ａの前面部（フロントガラス内側）に着脱自在に保持する保持部（ホルダ）Ｈを有し、この保持部Ｈに、車両Ａの前面部から該装置本体２が取り外されたときに、該装置本体２の記録動作を停止させるように作動する例えばマグネットスイッチやメカニカルスイッチ等のようなタンパスイッチＳが設けられている。装置本体２が車両Ａの前面部に取り付けられた状態では操作部６の操作がしにくいようなときに、従来では、電源部９の電源オフにするなどの操作をして装置本体２を車両Ａから取り外す必要があったが、装置本体２を車両Ａから取り外したときに電源部９の電源オンのままでも装置本体２の記録動作を停止するので、その都度、電源オフにするなどの操作が不要となり、操作が簡単になる。
【００２２】
図３は、制御部１０による画像データの再生動作を示す。図３（Ａ）は操作部６の一例、図３（Ｂ）、（Ｃ）はモニタＭの表示内容の一例を示す。この例では、メモリ７に記録された画像データのうちカメラ３の撮影画像のデータは複数、例えば５つの動画シーンである。画像データにはセンサ部４のセンサデータも含まれる。メモリ７内で各動画シーンやセンサデータは例えば時間経過とともに順次上書きされる。
【００２３】
操作部６は、図３（Ａ）のように、例えば録画再生モード変更および画像選択決定ボタン（中央ボタン）６ａと、上下左右画像選択ボタン（カーソル）６ｂとからなる十字カーソルキーである。
【００２４】
まず、操作部６の中央ボタン６ａの長押しの入力で再生モードに切り換えられて、図３（Ｂ）のように、モニタＭに再生選択画面が表示され、５つの動画シーンの代表画面の静止画が５つサムネール（画像縮小見本）表示される。
【００２５】
つぎに、操作部６のカーソル６ｂを上下左右に操作して、モニタＭに表示された５つの静止画から任意の静止画を選択し、中央ボタン６ａを押してその静止画における動画シーンの再生を決定する。これにより、図３（Ｃ）のように、モニタＭに当該動画シーンが再生される。図示していないが、記録されたセンサデータも別途再生される。再生が終了すると、所定時間後に自動的に録画モードに切り変えられる。
【００２６】
したがって、従来のように撮影画像のデータやセンサデータを別置きのＰＣで再生する必要がなく、装置本体２をモニタＭに接続するだけで、車両Ａ内で直ちに記録された動画シーンやセンサデータがモニタＭに表示されるので、容易かつ迅速に記録された各動画シーンやセンサデータの内容を確認することができる。
【００２７】
以下、図４のフローチャートを用いて、記録再生動作を説明する。
まず、録画モードで記録動作が開始され（ステップＳ１）、操作部６により再生モードに切り換えられて、記録停止操作がされたか否かが確認される（ステップＳ２）。記録停止操作がされていない場合には画像記録待機、及び記録動作を行い（ステップＳ３）、ステップＳ２に戻る。
【００２８】
操作部６の中央ボタン６ａにより再生モードに切り換えられて、記録停止操作がされた場合には、記録停止され、モニタＭに図３（Ｂ）の再生選択画面が表示される（ステップＳ４）。次に、操作部６のカーソル６ｂにより再生、設定操作がされて（ステップＳ５）、モニタＭに図３（Ｃ）の再生画面が表示され、所定時間後の再生終了の確認がされる（ステップＳ６）。再生終了の確認がされていない場合にはステップＳ５に戻る。再生終了の確認がされた場合には、再生停止、記録動作を行い（ステップＳ７）、ステップＳ２に戻る。
【００２９】
これにより、本装置１は、装置本体２に設けられた操作部６の入力によりビデオ出力部５から画像データを再生したビデオ信号が出力されて、モニタＭに少なくとも撮影画像を表示させるので、別途ＰＣを用いることなく、簡単な操作で画像データが再生されて、容易かつ迅速に記録された撮影画像などの内容を確認することができる。
【００３０】
なお、この実施形態では、モニタＭに記録された撮影画像およびセンサデータを表示させているが、センサデータを省略してもよい。
【００３１】
また、この実施形態では、保持部Ｈに、車両Ａから装置本体２が取り外されたときに装置本体２の記録動作を停止させるように作動するタンパスイッチＳが設けられているが、これを省略してもよい。
【００３２】
なお、この実施形態では、モニタＭに表示された各動画シーンの静止画から任意の静止画を選択させて当該動画シーンを再生させているが、これに代えて、各動画シーンの静止画およびこれに付加して各動画シーンにおけるセンサ部４で検知された危険運転の発生日時（または撮影日時）を表示させ、あるいは、この危険運転の発生日時（または撮影日時）の一覧表を表示させて、これから任意の静止画を選択させて当該動画シーンを再生させるようにしてもよい。
【図面の簡単な説明】
【００３３】
【図１】（Ａ）は本発明の一実施形態に係るカメラ付き運転監視装置を示す概略側面図、（Ｂ）はその斜視図である。
【図２】図１のカメラ付き運転監視装置を示すブロック構成図である。
【図３】操作部とモニタの表示画面を示す図である。
【図４】記録再生動作を示すフローチャートである。
【符号の説明】
【００３４】
１：カメラ付き運転監視装置
２：装置本体
３：カメラ
４：センサ部
５：ビデオ出力部
６：操作部
１０：制御部
１１：信号処理部
１２：モード設定部
Ｈ：保持部
Ｍ：モニタ
Ｓ：タンパスイッチ
【図１】
2008293083.tif 000003
【図２】
2008293083.tif 000004
【図３】
2008293083.tif 000005
【図４】
2008293083.tif 000006